(57)【要約】【課題】固体光源が過度に温度上昇することを抑制することができる光源モジュール及び照明器具を提供する。【解決手段】複数の光源系の各々には、複数の固体光源９のうち２以上の固体光源９が属する。２以上の固体光源９は、電気的に直列、並列又は直並列に接続されている。２以上の固体光源９は、定電流制御される。複数の光源系のうちの第一光源系は、複数の光源系のうちの第二光源系よりも、２以上の固体光源９の電気的な並列数が小さい。第一光源系は、第二光源系よりも、一の方向（第一方向Ｄ１）において、複数の固体光源９が設けられている領域３４の中心により近く配置されている。【選択図】図１
2018120826.tif 000002
【特許請求の範囲】
【請求項１】
基板と、
前記基板の一の面上に、列同士が一の方向において隣り合うように複数列に並んで設けられた複数の固体光源と、を備え、
前記複数の固体光源の各々は、複数の光源系の各々に前記複数の固体光源のうち２以上の固体光源が属するように、前記複数の光源系のいずれか１つに属し、
前記２以上の固体光源は、電気的に直列、並列又は直並列に接続されており、かつ、定電流制御され、
前記複数の光源系のうちの第一光源系は、前記複数の光源系のうちの第二光源系よりも、前記２以上の固体光源の電気的な並列数が小さく、かつ、前記一の方向において、前記複数の固体光源が設けられている領域の中心により近く配置されている
ことを特徴とする光源モジュール。
【請求項２】
前記第一光源系に属する前記２以上の固体光源は、前記第二光源系に属する前記２以上の固体光源よりも発熱量が小さいことを特徴とする請求項１記載の光源モジュール。
【請求項３】
前記第一光源系に属する前記２以上の固体光源は、前記第二光源系に属する前記２以上の固体光源よりも消費電力が小さいことを特徴とする請求項１又は２に記載の光源モジュール。
【請求項４】
前記第一光源系に属する前記２以上の固体光源の光色は白色であり、
前記第二光源系に属する前記２以上の固体光源の光色は電球色である
ことを特徴とする請求項１〜３のいずれか一項に記載の光源モジュール。
【請求項５】
前記複数の光源系は３つ以上の光源系であり、
前記３つ以上の光源系は、前記２以上の固体光源の電気的な並列数が小さい光源系ほど、前記一の方向において、前記中心により近く配置されている
ことを特徴とする請求項１〜４のいずれか一項に記載の光源モジュール。
【請求項６】
前記第一光源系及び前記第二光源系のそれぞれに属する前記２以上の固体光源の光色は第一光色であり、
前記複数の光源系は、それぞれに属する前記２以上の固体光源の光色が、前記第一光色とは異なる第二光色である第三光源系及び第四光源系を含み、
前記第三光源系は、前記第四光源系よりも、前記２以上の固体光源の電気的な並列数が小さく、かつ、前記一の方向において、前記中心により近く配置されている
ことを特徴とする請求項１〜３のいずれか一項に記載の光源モジュール。
【請求項７】
前記複数の光源系は、
それぞれに属する前記２以上の固体光源の光色が前記第一光色であり、少なくとも前記第一光源系と前記第二光源系とを含む３つ以上の光源系を有する第一群と、
それぞれに属する前記２以上の固体光源の光色が前記第二光色であり、少なくとも前記第三光源系と前記第四光源系とを有する３つ以上の光源系を有する第二群と、を有し、
前記第一群及び前記第二群の各々において、前記３つ以上の光源系は、前記２以上の固体光源の電気的な並列数が小さい光源系ほど、前記一の方向において、前記中心により近く配置されている
ことを特徴とする請求項６記載の光源モジュール。
【請求項８】
請求項１〜７のいずれか一項に記載の光源モジュールと、
前記光源モジュールが取り付けられる器具本体と、を備える
ことを特徴とする照明器具。
【発明の詳細な説明】
【技術分野】
【０００１】
本発明は光源モジュール及び照明器具に関し、より詳細には、複数の固体光源を備える光源モジュール及びこの光源モジュールを備える照明器具に関する。
【背景技術】
【０００２】
従来例として特許文献１記載のＬＥＤ（Light Emitting Diode）照明モジュールを例示する。特許文献１記載のＬＥＤ照明モジュールは、直列に接続された１４個のＬＥＤパッケージ（固体光源）からなる単位直列群を４つ並列に接続することにより構成した単位ＬＥＤパッケージ群を備えている。単位ＬＥＤパッケージ群には、定電流電源装置から電流が供給される。
【先行技術文献】
【特許文献】
【０００３】
【特許文献１】特開２０１５−５５０１号公報
【発明の概要】
【発明が解決しようとする課題】
【０００４】
特許文献１記載のＬＥＤ照明モジュールにおいて、互いに並列に接続された４つの単位直列群のうち、１つの単位直列群が断線故障等により導通しなくなったとする。単位ＬＥＤパッケージ群には定電流電源装置により決められた電流が流れるので、故障した単位直列群に並列に接続された、正常に導通している単位直列群（ＬＥＤパッケージ）に流れる電流が増加する。その結果、正常に導通しているＬＥＤパッケージの温度が上昇する。ＬＥＤパッケージの温度上昇は、温度上昇が起きているＬＥＤパッケージ自身の性能を低下させたり、周りのＬＥＤパッケージの性能を低下させたりする場合がある。
【０００５】
本発明は、固体光源が過度に温度上昇することを抑制することができる光源モジュール及び照明器具を提供することを目的とする。
【課題を解決するための手段】
【０００６】
上記の課題を解決するために、本発明の一態様に係る光源モジュールは、基板と、複数の固体光源と、を備える。前記複数の固体光源は、前記基板の一の面上に複数列に並んで設けられている。前記複数列では、列同士は一の方向において隣り合う。前記複数の固体光源の各々は、複数の光源系のいずれか１つに属する。前記複数の光源系の各々には、前記複数の固体光源のうち２以上の固体光源が属する。前記２以上の固体光源は、電気的に直列、並列又は直並列に接続されている。前記２以上の固体光源は、定電流制御される。前記複数の光源系のうちの第一光源系は、前記複数の光源系のうちの第二光源系よりも、前記２以上の固体光源の電気的な並列数が小さい。前記第一光源系は、前記第二光源系よりも、前記一の方向において、前記複数の固体光源が設けられている領域の中心により近く配置されている。
【０００７】
本発明の一態様に係る照明器具は、前記光源モジュールと、器具本体と、を備える。前記器具本体には、前記光源モジュールが取り付けられる。
【発明の効果】
【０００８】
本発明の一態様に係る光源モジュール及び照明器具では、固体光源が過度に温度上昇することを抑制することができる。
【図面の簡単な説明】
【０００９】
【図１】図１は、本発明の一実施形態に係る光源モジュールの平面図である。
【図２】図２は、本発明の一実施形態に係る光源モジュールの一部分の拡大図である。
【図３】図３は、本発明の一実施形態に係る照明器具の斜視図である。
【発明を実施するための形態】
【００１０】
以下、実施形態に係る光源モジュール及び照明器具について、図面を用いて説明する。本実施形態の光源モジュール１は、図１、２に示すように、複数（図１、２では１２０個）の第一固体光源９１と、複数（図１、２では１０８個）の第二固体光源９２と、基板３と、複数（図１では４つ）のコネクタ部４と、複数（図１では８つ）のツェナーダイオード５とを備えている。
【００１１】
各第一固体光源９１及び各第二固体光源９２としては、例えば、表面実装型のＬＥＤ素子が用いられている。第一固体光源９１の色温度は、例えば、２０００Ｋ〜３５００Ｋであり、光色は電球色（第一光色）である。第二固体光源９２の色温度は、例えば、４０００Ｋ〜６５００Ｋであり、光色は白色（第二光色）である。第二固体光源９２は、第一固体光源９１よりも発熱量が小さい。
【００１２】
以下では、第一固体光源９１と第二固体光源９２とを区別しない場合に、各々を指して固体光源９と称す。
【００１３】
各固体光源９は、複数（図１、２では８つ）の光源系のいずれか１つに属する。複数の光源系は、第一光源系１０、５０と、第二光源系２０、６０と、第三光源系３０、７０と、第四光源系４０、８０と、を有している。第一光源系１０、５０、第二光源系２０、６０にはそれぞれ、複数の第一固体光源９１が属している。第三光源系３０、７０、第四光源系４０、８０にはそれぞれ、複数の第二固体光源９２が属している。各光源系において、当該光源系に属する２以上の固体光源９は、電気的に直列又は直並列に接続されている。各光源系に属する２以上の固体光源９の数及び回路構成については後述する。以下では、直列、並列、直並列というときは、電気的な意味での直列、並列、直並列を指すこととする。
【００１４】
基板３は、矩形状に形成されている。基板３の一の面３３上には、複数の固体光源９と、４つのコネクタ部４と、８つのツェナーダイオード５とが設けられている。基板３は、例えば、銅板に樹脂がコーティングされた銅基板である。銅基板を採用することにより、固体光源９の放熱効率が高められている。一の面３３とは反対側の面には、図示しないヒートシンクが接続されており、固体光源９の放熱効率が高められている。
【００１５】
各コネクタ部４は、複数（図１では４つ又は５つ）の端子４３と、嵌合体４４とを有している。端子４３は、例えばリードフレームである。嵌合体４４は、図示しない電源ケーブルなどに接続されたコネクタを取付け可能に形成されている。
【００１６】
本実施形態では、各コネクタ部４の４つ又は５つの端子４３のうち４つの端子４３が用いられている。すなわち、１つのコネクタ部４の４つの端子４３は、第一光源系１０、第二光源系２０、第三光源系３０及び第四光源系４０に一対一で対応して、それぞれ対応する光源系のプラス側に電気的に接続されている。別のコネクタ部４の４つの端子４３は、第一光源系１０、第二光源系２０、第三光源系３０及び第四光源系４０に一対一で対応して、それぞれ対応する光源系のマイナス側に電気的に接続されている。残りの２つのコネクタ部４のそれぞれ４つの端子は、第一光源系５０、第二光源系６０、第三光源系７０及び第四光源系８０に一対一で対応して、それぞれ対応する光源系のプラス側又はマイナス側に電気的に接続されている。
【００１７】
このように、各光源系には、それぞれに個別に対応した２つ１組の端子４３を介して電流が供給され、２以上の固体光源９が点灯する。また、後述するように、複数の光源系は、光源系ごとに定電流制御される。以下で、光源系の並列数という場合は、対応する１組の端子４３から見た並列数を指す。
【００１８】
また、各光源系のプラス側とマイナス側との間には、サージ電圧を吸収するためのツェナーダイオード５が取り付けられている。すなわち、ダイオードのカソードが光源系のプラス側に、アノードが光源系のマイナス側に接続されている。
【００１９】
図３に示すように、本実施形態の照明器具６は、例えば、スポットライト等の舞台用照明である。照明器具６は、光源モジュール１（図１参照）と、内部に光源モジュール１が取り付けられる器具本体６３と、Ｕ字状のアーム６４と、電源装置６５と、電源プラグ６６と、電源コード６７と、レンズ６８と、を備えている。光源モジュール１の複数の固体光源９（図１参照）から放射される光は、レンズ６８において配光され、照明器具６に設けられている開口部６９から取り出される。アーム６４は、例えば梁等の天井支持材に固定される。アーム６４は、２つの先端付近において、保持部６４１により器具本体６３に取り付けられている。アーム６４は、保持部６４１を軸に器具本体６３に対して回転可能に取り付けられているので、器具本体６３は、向きを上下方向に変えられる。
【００２０】
電源装置６５は、ケース６５１と、ケース６５１に収容された、図示しないＡＣ／ＤＣ変換器と定電流装置とを有している。ＡＣ／ＤＣ変換器は、図示しない商用電源から電源プラグ６６と電源コード６７とを介して供給される交流電力を直流電力に変換する。さらに、定電流装置を構成する図示しないＤＣ／ＤＣ変換器は、ＡＣ／ＤＣ変換器で生じた直流電力を所望の電圧に変換する。ＤＣ／ＤＣ変換器で変換された電力は、電源ケーブルなどにより図１に示すコネクタ部４へ供給され、端子４３を介して各固体光源９に供給される。定電流装置は、複数の光源系を光源系ごとに定電流制御している。各光源系に流す電流は、光源系の並列数及び固体光源９の仕様等によって、光源系ごとに決定されている。また、各光源系に流す電流は、定電流装置に入力された外部信号により指定された調光レベル（光源モジュール１が発する光量の指示値）に応じて、定電流装置により増減される。
【００２１】
図２に示すように、複数の固体光源９は、全体として円状に配置されている。より詳細には、複数の固体光源９は、複数（図２では１６列）の列Ｒ１、Ｒ２、・・・、Ｒ１６を為して並んでいる。複数の列Ｒ１、Ｒ２、・・・、Ｒ１６は、第一方向Ｄ１（一の方向）においてこの順で並んでいる。すなわち、列同士は、第一方向Ｄ１において隣り合っている。各列において、固体光源９は、第二方向Ｄ２において隣り合う固体光源９と所定の間隔を空けて、第二方向Ｄ２に並んでいる。第二方向Ｄ２は、一の面３３上で第一方向Ｄ１に直交する方向である。
【００２２】
第一光源系１０、５０及び第二光源系２０、６０は、複数（図２では２０個）の第一固体光源９１が直列に接続された直列回路の１つにより、又は、この直列回路が複数個並列に接続されることにより構成されている。
【００２３】
第一光源系１０は、列Ｒ９に属する複数（２０個）の第一固体光源９１を有しており、これらによる１つの直列回路で構成されている。
【００２４】
第二光源系２０は、２０個の第一固体光源９１を１つの直列回路として、２つの直列回路２１、２２が並列に接続されて構成されている。直列回路２１は、列Ｒ１１に属する複数（１６個）の第一固体光源９１を含む光源群２１１と、列Ｒ１３に属する複数（４個）の第一固体光源９１を含む光源群２１２とを有している。直列回路２２は、列Ｒ１３に属する複数（１１個）の第一固体光源９１を含む光源群２２１と、列Ｒ１５に属する複数（９個）の第一固体光源９１を含む光源群２２２とを有している。
【００２５】
第一光源系５０は、列Ｒ７に属する複数（２０個）の第一固体光源９１を有しており、これらによる１つの直列回路で構成されている。
【００２６】
第二光源系６０は、２０個の第一固体光源９１を１つの直列回路として、２つの直列回路６１、６２が並列に接続されて構成されている。直列回路６１は、列Ｒ５に属する複数（１８個）の第一固体光源９１を含む光源群６１１と、列Ｒ３に属する複数（２個）の第一固体光源９１を含む光源群６１２とを有している。直列回路６２は、列Ｒ３に属する複数（１３個）の第一固体光源９１を含む光源群６２１と、列Ｒ１に属する複数（７個）の第一固体光源９１を含む光源群６２２とを有している。
【００２７】
第三光源系３０、７０及び第四光源系４０、８０は、複数（図２では１８個）の第二固体光源９２が直列に接続された直列回路の１つにより、又は、この直列回路が複数個並列に接続されることにより構成されている。
【００２８】
第三光源系３０は、列Ｒ１０に属する複数（１８個）の第二固体光源９２を有しており、これらによる１つの直列回路で構成されている。
【００２９】
第四光源系４０は、１８個の第二固体光源９２を１つの直列回路として、２つの直列回路４１、４２が並列に接続されて構成されている。直列回路４１は、列Ｒ１２に属する複数（１６個）の第二固体光源９２を含む光源群４１１と、列Ｒ１４に属する複数（２個）の第二固体光源９２を含む光源群４１２とを有している。直列回路４２は、列Ｒ１４に属する複数（１１個）の第二固体光源９２を含む光源群４２１と、列Ｒ１６に属する複数（７個）の第二固体光源９２を含む光源群４２２とを有している。
【００３０】
第三光源系７０は、列Ｒ８に属する複数（１８個）の第二固体光源９２を有しており、これらによる１つの直列回路で構成されている。
【００３１】
第四光源系８０は、１８個の第二固体光源９２を１つの直列回路として、２つの直列回路８１、８２が並列に接続されて構成されている。直列回路８１は、列Ｒ６に属する複数（１５個）の第二固体光源９２を含む光源群８１１と、列Ｒ４に属する複数（３個）の第二固体光源９２を含む光源群８１２とを有している。直列回路８２は、列Ｒ４に属する複数（１０個）の第二固体光源９２を含む光源群８２１と、列Ｒ２に属する複数（８個）の第二固体光源９２を含む光源群８２２とを有している。
【００３２】
複数の固体光源９が設けられている領域３４は円状である。上記により、固体光源９の並列数が１である第一光源系１０、５０及び第三光源系３０、７０は、第一方向Ｄ１において、領域３４の中心付近に配置されている。複数の固体光源９は、第一方向Ｄ１において列Ｒ１〜Ｒ１６の１６列に並んでいるので、列Ｒ８と列Ｒ９との間の直線３５上の点であって領域３４内に位置している各点が、第一方向Ｄ１における領域３４の中心である。また、固体光源９の並列数が２である第二光源系２０、６０及び第四光源系４０、８０は、第一方向Ｄ１において、領域３４の中心から離れて位置している。すなわち、複数の光源系は、固体光源９の並列数が小さい光源系ほど、第一方向Ｄ１において、領域３４の中心により近く配置されている。特に、第一光源系１０、５０は、第二光源系２０、６０よりも並列数が小さく、第二光源系２０、６０よりも第一方向Ｄ１において領域３４の中心により近く配置されている。また、第三光源系３０、７０は、第四光源系４０、８０よりも並列数が小さく、第四光源系４０、８０よりも第一方向Ｄ１において領域３４の中心により近く配置されている。
【００３３】
なお、並列数が小さい光源系ほど、第一方向Ｄ１において、領域３４の中心により近く配置されている、とは、次の意味である。すなわち、各光源系について、当該光源系に属する全ての固体光源９から領域３４の中心までの第一方向Ｄ１における平均距離を求めた場合に、並列数が小さい光源系ほど、この平均距離が小さいという意味である。
【００３４】
基板３において、複数の固体光源９を配置できる領域には限りがあるので、複数の固体光源９が密に配置される傾向にある。特に、光源モジュール１をスポットライトに用いる場合などには、複数の固体光源９が放射する光を集光する必要があるので、複数の固体光源９の間隔を小さくして配置することがある。また、各固体光源９は電流が流れることによって熱を生じる。これにより、一部の固体光源９の温度が過度に上昇する場合がある。固体光源９の温度上昇は、温度上昇が起きている固体光源９自身の性能を低下させたり、周りの固体光源９の性能を低下させたりする場合がある。固体光源９の付近にレンズ６８（図３参照）が配置されている場合には、固体光源９の温度上昇によりレンズ６８の性能が低下するおそれもある。したがって、各固体光源９に電流が流れることによって生じる熱の排出を効率よく行うことが必要である。特に、領域３４の中心付近では、各固体光源９が周りを他の固体光源９により囲まれているので、領域３４の中心から離れた位置よりも放熱性が悪く、局所的に過度な温度上昇が発生するおそれが大きい。
【００３５】
ところで、並列数が２以上である光源系において、断線故障等により１つの直列回路が導通しなくなると、各光源系は定電流制御されているので、故障した直列回路に並列に接続された、正常に導通している直列回路（固体光源９）に流れる電流が増加する。これにより、正常に導通している固体光源９の温度が上昇する。すると、温度が上昇した固体光源９又はその周りの正常に導通している固体光源９が、熱により故障して導通しなくなる場合がある。このときに導通しなくなった固体光源９を含む直列回路も導通しなくなる。
【００３６】
また、並列数が３以上である光源系において、このようにして２つの直列回路が導通しなくなった場合は、光源系は定電流制御されているので、これら２つの直列回路に並列に接続されており正常に導通している直列回路に流れる電流が増加する。
【００３７】
以上述べたように、１つの直列回路が導通しなくなると、他の直列回路に流れる電流が増加する。すると、電流の増加が固体光源９の故障を誘発することにより、残りの直列回路も次々と導通しなくなる場合がある。このようにして、並列数が２以上である光源系において、正常に導通している直列回路が１本のみになったとする。このとき、光源系の並列数が小さいほど、正常に導通している直列回路に流れる電流は、全ての直列回路が正常に導通しているときの電流に対する増分が小さいので、固体光源９の温度上昇が小さい。並列数が１である光源系では、固体光源９に電流が導通しなくなることにより固体光源９に流れる電流が増加することはない。つまり、光源系は、並列数が小さいほど、故障等の場合に固体光源９に流れる電流が増加することにより起こる温度上昇が小さい。
【００３８】
そこで、本実施形態では、上述の通り、並列数が小さく固体光源９の温度上昇が小さい光源系ほど、第一方向Ｄ１において、領域３４の中心により近く配置されている。これにより、固体光源９が過度に温度上昇することを抑制することができる。
【００３９】
また、第一光源系１０、５０及び第二光源系２０、６０に着目する。これらの光源系に属する固体光源９は、光色が第一光色（電球色）である第一固体光源９１である。このように、それぞれの光源系に属する固体光源９（第一固体光源９１）の光色が第一光色である複数（本実施形態では４つ）の光源系の集合を、第一群とする。第一群において、４つの光源系は、並列数が小さい光源系ほど第一方向Ｄ１において領域３４の中心により近く配置されている。
【００４０】
さらに、第三光源系３０、７０及び第四光源系４０、８０に着目する。これらの光源系に属する固体光源９は、光色が第二光色（白色）である第二固体光源９２である。このように、それぞれの光源系に属する固体光源９（第二固体光源９２）の光色が第二光色である複数（本実施形態では４つ）の光源系の集合を、第二群とする。第二群において、４つの光源系は、並列数が小さい光源系ほど第一方向Ｄ１において領域３４の中心により近く配置されている。
【００４１】
上記の通り、本実施形態に係る光源モジュール１は、基板３と、複数の固体光源９と、を備える。複数の固体光源９は、基板３の一の面３３上に複数列に並んで設けられている。複数列では、列同士は一の方向（第一方向Ｄ１）において隣り合う。複数の固体光源９の各々は、複数の光源系のいずれか１つに属する。複数の光源系の各々には、複数の固体光源９のうち２以上の固体光源９が属する。２以上の固体光源９は、電気的に直列、並列又は直並列に接続されている。２以上の固体光源９は、定電流制御される。複数の光源系のうちの第一光源系１０（５０）は、複数の光源系のうちの第二光源系２０（６０）よりも、２以上の固体光源９の電気的な並列数が小さい。第一光源系１０（５０）は、第二光源系２０（６０）よりも、一の方向において、複数の固体光源９が設けられている領域３４の中心により近く配置されている。
【００４２】
上記の構成により、光源モジュール１では、第一光源系１０（５０）は第二光源系２０（６０）よりも、２つ以上の固体光源９の電気的な並列数が小さい。上述の通り、光源系は、並列数が小さいほど、故障等の場合に固体光源９に流れる電流が増加することにより起こる温度上昇が小さい。つまり、第一光源系１０（５０）は第二光源系２０（６０）よりも、固体光源９の温度上昇が小さい。また、複数の固体光源９が設けられている領域３４の中心付近では、各固体光源９が周りを他の固体光源９により囲まれているので、領域３４の中心から離れた位置よりも放熱性が悪い。そのため、領域３４の中心付近では過度な温度上昇が起きやすい。本実施形態では、第二光源系２０（６０）と比較して固体光源９の温度上昇がより小さい第一光源系１０（５０）が、領域３４のうち、放熱性が悪い中心に一の方向（第一方向Ｄ１）においてより近く配置されている。これにより、固体光源９が過度に温度上昇することを抑制することができる。
【００４３】
また、本実施形態に係る光源モジュール１では、複数の光源系は３つ以上の光源系である。３つ以上の光源系は、２以上の固体光源９の電気的な並列数が小さい光源系ほど、一の方向（第一方向Ｄ１）において、領域３４の中心により近く配置されている。
【００４４】
上記の構成により、光源モジュール１における３つ以上の光源系は、並列数が小さい光源系、すなわち、固体光源９の温度上昇が小さい光源系ほど、領域３４のうち放熱性が悪い中心に一の方向（第一方向Ｄ１）においてより近く配置されている。これにより、固体光源９が過度に温度上昇することを更に抑制することができる。
【００４５】
また、本実施形態に係る光源モジュール１では、第一光源系１０（５０）及び第二光源系２０（６０）のそれぞれに属する２以上の固体光源９（第一固体光源９１）の光色は第一光色である。複数の光源系は、第三光源系３０（７０）及び第四光源系４０（８０）を含む。第三光源系３０（７０）及び第四光源系４０（８０）のそれぞれに属する２以上の固体光源９（第二固体光源９２）の光色は、第一光色とは異なる第二光色である。第三光源系３０（７０）は、第四光源系４０（８０）よりも、２以上の固体光源９の電気的な並列数が小さい。第三光源系３０（７０）は、第四光源系４０（８０）よりも、一の方向（第一方向Ｄ１）において、領域３４の中心により近く配置されている。
【００４６】
上記の構成により、光源モジュール１では、第一光源系１０（５０）及び第二光源系２０（６０）にそれぞれ属する固体光源９（第一固体光源９１）は、光色が第一光色である。並列数が比較的小さく発熱量が比較的小さい第一光源系１０（５０）は、並列数が比較的大きく発熱量が比較的大きい第二光源系２０（６０）よりも、領域３４のうち放熱性が悪い中心に一の方向（第一方向Ｄ１）においてより近く配置されている。これにより、光色が第一光色である固体光源９が過度に温度上昇することを抑制することができる。また、第三光源系３０（７０）及び第四光源系４０（８０）にそれぞれ属する固体光源９（第二固体光源９２）は、光色が第二光色である。並列数が比較的小さく発熱量が比較的小さい第三光源系３０（７０）は、並列数が比較的大きく発熱量が比較的大きい第四光源系４０（８０）よりも、領域３４のうち放熱性が悪い中心に一の方向においてより近く配置されている。これにより、光色が第二光色である固体光源９が過度に温度上昇することを抑制することができる。
【００４７】
また、本実施形態に係る光源モジュール１では、複数の光源系は、第一群と、第二群と、を有する。第一群は、３つ以上の光源系を有する。第一群の３つ以上の光源系において、それぞれに属する２以上の固体光源９（第一固体光源９１）の光色は第一光色である。第一群の３つ以上の光源系は、少なくとも第一光源系１０（５０）と第二光源系２０（６０）とを含む。第二群は、３つ以上の光源系を有する。第二群の３つ以上の光源系において、それぞれに属する２以上の固体光源９（第二固体光源９２）の光色は第二光色である。第二群の３つ以上の光源系は、少なくとも第三光源系３０（７０）と第四光源系４０（８０）とを有する。第一群及び第二群の各々おいて、３つ以上の光源系は、２以上の固体光源９の電気的な並列数が小さい光源系ほど、一の方向（第一方向Ｄ１）において、領域３４の中心により近く配置されている。
【００４８】
上記の構成により、光源モジュール１では、第一群に属する３つ以上の光源系は、並列数が小さい光源系、すなわち、固体光源９の温度上昇が小さい光源系ほど、領域３４のうち放熱性が悪い中心に一の方向（第一方向Ｄ１）においてより近く配置されている。これにより、固体光源９が過度に温度上昇することを更に抑制することができる。また、第二群に属する３つ以上の光源系においても、並列数が小さい光源系ほど、領域３４のうち中心に一の方向においてより近く配置されている。これにより、固体光源９が過度に温度上昇することを更に抑制することができる。
【００４９】
また、本実施形態に係る照明器具６は、光源モジュール１と、器具本体６３と、を備える。器具本体６３には、光源モジュール１が取り付けられる。
【００５０】
上記の構成により、照明器具６では、第二光源系２０（６０）と比較して並列数がより小さく固体光源９の温度上昇がより小さい第一光源系１０（５０）が、領域３４のうち放熱性が悪い中心に一の方向（第一方向Ｄ１）においてより近く配置されている。これにより、固体光源９が過度に温度上昇することを抑制することができる。
【００５１】
（変形例１）
複数の固体光源９の発熱量は互いに異なる場合がある。そこで、発熱量が比較的小さい固体光源９を、第一方向Ｄ１において、領域３４の中心付近に配置する。例えば、第一光源系１０、５０に属する固体光源９として、発熱量が比較的小さい固体光源９を用いて、第二光源系２０、６０に属する固体光源９として、発熱量が比較的大きい固体光源９を用いる。すなわち、第一光源系１０、５０に属する固体光源９の発熱量が、第二光源系２０、６０に属する固体光源９の発熱量よりも小さくなるように、各固体光源９を選択する。少なくとも、第一光源系１０、５０に属する２以上の固体光源９の発熱量の平均値は、第二光源系２０、６０に属する２以上の固体光源９の発熱量の平均値よりも小さい。
【００５２】
ところで、光色が白色の固体光源９は、光色が電球色の固体光源９よりも発熱量が小さい場合が多い。したがって、例えば、第一光源系１０、５０に属する固体光源９として、光色が白色の固体光源９を用いて、第二光源系２０、６０に属する固体光源９として、光色が電球色の固体光源９を用いてもよい。
【００５３】
第一光源系１０、５０及び第二光源系２０、６０以外の光源系についても同様に、その光源系に属している固体光源９の発熱量が小さい光源系ほど、第一方向Ｄ１において、領域３４の中心により近く配置されていてもよい。あるいは、各光源系においてその光源系に属している２以上の固体光源９の発熱量の平均値を求めて、発熱量の平均値が小さい光源系ほど、第一方向Ｄ１において領域３４の中心により近く配置されていてもよい。例えば、固体光源９の発熱量が小さい光源系から順に、列Ｒ８、Ｒ９へ配置することを決定する。列Ｒ８、Ｒ９が埋まったら、固体光源９の発熱量が小さい光源系から順に列Ｒ７、Ｒ１０へ配置することを決定する。このようにして各光源系の配置を決定してもよい。
【００５４】
上記の通り、本変形例に係る光源モジュール１では、第一光源系１０（５０）に属する２以上の固体光源９は、第二光源系２０（６０）に属する２以上の固体光源９よりも発熱量が小さい。
【００５５】
上記の構成により、光源モジュール１では、第一光源系１０（５０）に属する固体光源９は第二光源系２０（６０）に属する固体光源９よりも発熱量が小さい。また、第一光源系１０（５０）は第二光源系２０（６０）よりも、一の方向（第一方向Ｄ１）において領域３４の中心により近く配置されている。すなわち、発熱量が比較的小さい第一光源系１０（５０）の固体光源９は、発熱量が比較的大きい第二光源系２０（６０）の固体光源９よりも、領域３４のうち放熱性が悪い中心により近く配置されている。これにより、固体光源９が過度に温度上昇することを更に抑制することができる。
【００５６】
また、本変形例に係る光源モジュール１では、第一光源系１０（５０）に属する２以上の固体光源９の光色は白色である。第二光源系２０（６０）に属する２以上の固体光源９の光色は電球色である。
【００５７】
光色が白色である固体光源９は、光色が電球色である固体光源９よりも発熱量が小さい傾向にある。上記の構成により、光源モジュール１では、第一光源系１０（５０）に属する固体光源９は、光色が白色であり、発熱量が比較的小さい。第二光源系２０（６０）に属する固体光源９は、光色が電球色であり、発熱量が比較的大きい。すなわち、発熱量が比較的小さい第一光源系１０（５０）が、発熱量が比較的大きい第二光源系２０（６０）の固体光源９よりも、領域３４のうち放熱性が悪い中心に一の方向（第一方向Ｄ１）においてより近く配置されている。これにより、固体光源９が過度に温度上昇することを更に抑制することができる。
【００５８】
なお、少なくとも２つの光源系において、固体光源９の発熱量が小さい光源系ほど、第一方向Ｄ１において、領域３４の中心により近く配置されていればよい。例えば、第一光源系１０に属する２以上の固体光源９は、第二光源系２０に属する２以上の固体光源９よりも発熱量が小さければよい。
【００５９】
また、少なくとも２つの光源系において、固体光源９の光色が白色である光源系が、固体光源９の光色が電球色である光源系よりも、第一方向Ｄ１において、領域３４の中心により近く配置されていてもよい。例えば、第一光源系１０に属する２以上の固体光源９の光色が白色であり、第二光源系２０に属する２以上の固体光源９の光色が電球色であればよい。
【００６０】
（変形例２）
固体光源９は、消費電力が大きいほど発熱量も大きい傾向にある。そこで、各光源系の配置は、各光源系に属する固体光源９の消費電力により決定されてもよい。すなわち、固体光源９の消費電力が比較的小さい光源系を、第一方向Ｄ１において、領域３４の中心付近に配置してもよい。例えば、第一光源系１０、５０に属する固体光源９として、消費電力が比較的小さい固体光源９を用いて、第二光源系２０、６０に属する固体光源９として、消費電力が比較的大きい固体光源９を用いる。すなわち、第一光源系１０、５０に属する固体光源９の消費電力が、第二光源系２０、６０に属する固体光源９の消費電力よりも小さくなるように、各固体光源９を選択する。少なくとも、第一光源系１０、５０に属する２以上の固体光源９の消費電力の平均値は、第二光源系２０、６０に属する２以上の固体光源９の消費電力の平均値よりも小さい。
【００６１】
第一光源系１０、５０及び第二光源系２０、６０以外の光源系についても同様に、その光源系に属している固体光源９の消費電力が小さい光源系ほど、第一方向Ｄ１において、領域３４の中心により近く配置されていてもよい。あるいは、各光源系においてその光源系に属している２以上の固体光源９の消費電力の平均値を求めて、消費電力の平均値が小さい光源系ほど、第一方向Ｄ１において領域３４の中心により近く配置されていてもよい。例えば、固体光源９の消費電力が小さい光源系から順に、列Ｒ８、Ｒ９へ配置することを決定する。列Ｒ８、Ｒ９が埋まったら、固体光源９の消費電力が小さい光源系から順に列Ｒ７、Ｒ１０へ配置することを決定する。このようにして各光源系の配置を決定してもよい。
【００６２】
上記の通り、本変形例に係る光源モジュール１では、第一光源系１０（５０）に属する２以上の固体光源９は、第二光源系２０（６０）に属する２以上の固体光源９よりも消費電力が小さい。
【００６３】
上記の構成により、光源モジュール１では、第一光源系１０（５０）に属する固体光源９は第二光源系２０（６０）に属する固体光源９よりも消費電力が小さい。また、第一光源系１０（５０）は第二光源系２０（６０）よりも、一の方向（第一方向Ｄ１）において領域３４の中心により近く配置されている。すなわち、消費電力が比較的小さい第一光源系１０（５０）の固体光源９は、消費電力が比較的大きい第二光源系２０（６０）の固体光源９よりも、領域３４のうち放熱性が悪い中心により近く配置されている。固体光源９は、消費電力が大きいほど発熱量も大きい傾向にあるので、上記の配置により、固体光源９が過度に温度上昇することを更に抑制することができる。
【００６４】
なお、少なくとも２つの光源系において、固体光源９の消費電力が小さい光源系ほど、第一方向Ｄ１において、領域３４の中心により近く配置されていればよい。例えば、第一光源系１０に属する２以上の固体光源９は、第二光源系２０に属する２以上の固体光源９よりも消費電力が小さければよい。
【００６５】
（その他の変形例）
なお、各固体光源９はＬＥＤ素子に限定されず、例えば、有機エレクトロルミネッセンス素子又はレーザーダイオード素子等であってもよい。
【００６６】
また、照明器具６はスポットライトに限らず、例えば、シーリングライト、ベースライト及びダウンライト等の各種の照明器具に用いることができる。
【００６７】
また、本実施形態では、定電流装置を構成する１つのＤＣ／ＤＣ変換器により、複数の光源系を光源系ごとに定電流制御している。これに対して、複数のＤＣ／ＤＣ変換器により、各組の端子４３に流れる電流をそれぞれ制御してもよい。
【００６８】
また、固体光源９は、光色が電球色又は白色の固体光源に限定されない。例えば、光色が赤色、緑色又は青色である固体光源を用いてもよいし、あるいは、これらを組み合わせて用いてもよい。
【００６９】
また、各光源系における２以上の固体光源９の並列数は１又は２に限定されず、３以上であってもよい。
【００７０】
また、本実施形態の端子４３は、リードフレームである。このように、端子４３は、電線等を接続するための部品（板状端子又はピン端子などの狭義の端子）でなくてもよく、例えば電子部品のリードフレーム又は、基板３上に配線として形成された導体の一部であってもよい。
【００７１】
また、光源系の数は８つに限定されず、２〜７つ又は９つ以上であってもよい。
【００７２】
また、並列数が小さい光源系ほど、第一方向Ｄ１において、領域３４の中心により近く配置されているという条件は、全ての光源系について満たされていなくてもよい。少なくとも、第一光源系１０は第二光源系２０よりも並列数が小さく、第一方向Ｄ１において、第一光源系１０は第二光源系２０よりも領域３４の中心により近く配置されていればよい。
【００７３】
また、複数の光源系は、各光源系をその光源系に属している固体光源９の光色により種類分けして、光源系の種類ごとに、並列数が小さい光源系ほど第一方向Ｄ１において領域３４の中心により近く配置されているという条件を満たしていてもよい。例えば、固体光源９を光色で種類分けして、第一光色（電球色）で発光する第一固体光源９１が属している第一光源系１０、５０及び第二光源系２０、６０に着目する。すなわち、第一群に含まれている光源系のみに着目する。そして、第一群において、複数（本実施形態では４つ）の光源系が、並列数が小さい光源系ほど第一方向Ｄ１において領域３４の中心により近く配置されていてもよい。さらに、第二光色（白色）で発光する第二固体光源９２が属している第三光源系３０、７０及び第四光源系４０、８０に着目する。すなわち、第二群に含まれている光源系のみに着目する。そして、第二群において、複数（本実施形態では４つ）の光源系が、並列数が小さい光源系ほど第一方向Ｄ１において領域３４の中心により近く配置されていてもよい。また、第一群に含まれている光源系と第二群に含まれている光源系との間では、並列数が小さい光源系ほど第一方向Ｄ１において領域３４の中心により近く配置されているという条件を満たしていなくてもよい。あるいは、本実施形態のように、全ての光源系について、並列数が小さい光源系ほど第一方向Ｄ１において領域３４の中心により近く配置されているという条件を満たしていてもよい。
【００７４】
また、変形例１で示した、発熱量が小さい固体光源９が属している光源系ほど第一方向Ｄ１において領域３４の中心により近く配置されているという条件も、第一群と第二群とにおいて個別に満たされていてもよい。また、変形例２で示した、消費電力が小さい固体光源９が属している光源系ほど第一方向Ｄ１において領域３４の中心により近く配置されているという条件も、第一群と第二群とにおいて個別に満たされていてもよい。
【００７５】
また、順電圧が小さい固体光源９が属している光源系ほど、第一方向Ｄ１において領域３４の中心により近く配置されていてもよい。あるいは、各光源系においてその光源系に属している２以上の固体光源９の順電圧の平均値を求めて、順電圧の平均値が小さい光源系ほど、第一方向Ｄ１において領域３４の中心により近く配置されていてもよい。あるいは、これらの条件は、第一群と第二群とにおいて個別に満たされていてもよい。
【００７６】
上記の各変形例であっても、固体光源９が過度に温度上昇することを抑制することができる。
【００７７】
なお、以上説明した実施形態は本発明の一例である。このため、本発明はこれらの実施形態に限定されず、本発明の趣旨を逸脱しない範囲において種々の変形が可能である。
【符号の説明】
【００７８】
１  光源モジュール
３  基板
３３  一の面
３４  領域
６  照明器具
６３  器具本体
９  固体光源
Ｄ１  第一方向（一の方向）
１０、５０  第一光源系
２０、６０  第二光源系
３０、７０  第三光源系
４０、８０  第四光源系
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６  列
【図１】
2018120826.tif 000003
【図２】
2018120826.tif 000004
【図３】
2018120826.tif 000005